(57)【要約】【課題】複写帳票を製造する技術をベースとして作製可能な台紙付き緩衝材を提供するもので、緩衝材の表出面には目視情報を形成することができ、緩衝材には保護すべき送付物に求められる緩衝効果レベルに応じて凹凸を定めることが可能な台紙付き緩衝材を提供する。【解決手段】送付物を衝撃から護るための台紙付き緩衝材であって、前記台紙の片面に凹凸が形成された緩衝材が貼付され、前記緩衝材の表出面には文字，絵柄，マークの少なくとも一つを含む目視情報が形成された台紙付き緩衝材を提供する。【選択図】  図１
2008094419.tif 000002
【特許請求の範囲】
【請求項１】
送付物を衝撃から護るための台紙付き緩衝材であって、
前記台紙の片面に凹凸が形成された緩衝材が貼付され、前記緩衝材の表出面には文字，絵柄，マークの少なくとも一つを含む目視情報が形成されたことを特徴とする台紙付き緩衝材。
【請求項２】
請求項１に記載の台紙付き緩衝材において、
緩衝材の表出面に形成された目視情報は、凹凸が形成された緩衝材の表出面を正面から目視したときに正常状態で目視されるように形成されたことを特徴とする台紙付き緩衝材。
【請求項３】
請求項１に記載の台紙付き緩衝材において、
緩衝材の表出面には複数集団の目視情報が形成され、凹凸が形成された緩衝材の表出面を傾けることによって異なる集団の目視情報が目視されるように形成されたことを特徴とする台紙付き緩衝材。
【請求項４】
請求項１〜３に記載の台紙付き緩衝材において、
台紙及び緩衝材の基材には、パルプを主原料とする材料、または、自然環境内で分解性を有する合成樹脂フィルムの何れかが使用されていることを特徴とする台紙付き緩衝材。
【発明の詳細な説明】
【技術分野】
【０００１】
本発明は、送付物を衝撃から護るための台紙付き緩衝材に関する。
【背景技術】
【０００２】
通販会社では、商品の配達のために宅配便を利用することが多い。
その際、商品のほかに、段ボールや封筒などの収納具、納品明細書，配送伝票といったものが準備される。商品が化粧品や食べ物、文房具といった小物類の場合の収納具には、ほぼ例外なく段ボールか封筒が使用される。
通販会社では、納品明細書を見ながら、顧客からリクエストのあった商品を所定の収納具（例えば、段ボール）に入れ、そして箱詰めした内容をチェックしてから納品明細書も段ボールに入れ、段ボールを封緘したら、配送伝票を所定位置に貼り込んで発送するというのが代表的な配送までの流れである。
しかしながら、商品毎に段ボールが用意されるわけではないために、多くの場合、商品と段ボールの内側に隙間が生じる。この隙間のために輸送途中で商品が箱内で踊ってしまい、その結果、最悪の場合、届いた荷物が破損することになってしまう。この破損を防ぐために、詰め物を入れたり、緩衝材と呼ばれる資材を隙間に入れている。
つまり、前述の「代表的な配送の流れ」には、商品を箱に入れた後で「緩衝材を入れる」という工程が抜けている。
家電製品のように、箱の中に納める商品の形やサイズが一定であれば、緩衝材でなく、パルプモールド等で製品を中空に浮かしたりすることも可能であるが、通販の場合は、前述のように、同じものを１個だけ買う人や複数まとめて買う人がいるために、全パターンに合わせた箱を用意することは現実的ではない。その結果、緩衝材は不可欠な資材となっている。
【０００３】
そこで、合成樹脂を原料とする緩衝材が提供されている（例えば、特許文献１参照）。
しかしながら、特許文献１に記載されている「筒状の緩衝包装部材」は、顧客側の環境意識の高まりもあって、従来から広く利用されている「エアキャップ」等の合成樹脂を原料とする緩衝材と同様、近年使い難くなってきている。
一方、前述した詰め物として、新聞紙を丸めて入れたり、シュレッダーの塵を箱の中に入れる方法は、環境面ではともかく、商品を受け取る顧客からはその体裁から必ずしも好評ではない。また、パルプを主原料とする紙では「エアキャップ」のようなものは作り難い。
【０００４】
【特許文献１】特開２００４−９０９３４号公報
【発明の開示】
【発明が解決しようとする課題】
【０００５】
そこで本発明では、ビジネスフォームで広く利用される複写帳票を製造する技術をベースとして作製可能な台紙付き緩衝材を提供するもので、緩衝材の表出面には目視情報を形成することができ、緩衝材には保護すべき送付物に求められる緩衝効果レベルに応じて凹凸を定めることが可能な台紙付き緩衝材を提供することを目的とするものである。
【課題を解決するための手段】
【０００６】
前記課題の目的を達成するために、本発明の台紙付き緩衝材の第一の態様は、送付物を衝撃から護るための台紙付き緩衝材であって、前記台紙の片面に凹凸が形成された緩衝材が貼付され、前記緩衝材の表出面には文字，絵柄，マークの少なくとも一つを含む目視情報が形成されたことを特徴とするものである。
【０００７】
また、第二の態様は、第一の態様において、緩衝材の表出面に形成された目視情報は、凹凸が形成された緩衝材の表出面を正面から目視したときに正常状態で目視されるように形成されたことを特徴とするものである。
【０００８】
また、第三の態様は、第一の態様において、緩衝材の表出面には複数集団の目視情報が形成され、凹凸が形成された緩衝材の表出面を傾けることによって異なる集団の目視情報が目視されるように形成されたことを特徴とするものである。
【０００９】
また、第四の態様は、第一，第二，第三の態様において、台紙及び緩衝材の基材には、パルプを主原料とする材料、または、自然環境内で分解性を有する合成樹脂フィルムの何れかが使用されていることを特徴とするものである。
【発明の効果】
【００１０】
１）本発明の台紙付き緩衝材の第一の態様のように、送付物を衝撃から護るための台紙付き緩衝材であって、前記台紙の片面に凹凸が形成された緩衝材が貼付され、前記緩衝材の表出面には文字，絵柄，マークの少なくとも一つを含む目視情報が形成されたことによって、ビジネスフォームで利用される製造設備，技術をベースとして、緩衝材の表出面には目視情報を形成することができ、緩衝材には保護すべき送付物に求められる緩衝効果レベルに応じて凹凸を定めることができる。
その結果、台紙付き緩衝材を安価に供給することが可能となる。
２）また、第二の態様のように、第一の態様において緩衝材の表出面に形成された目視情報は、凹凸が形成された緩衝材の表出面を正面から目視したときに正常状態で目視されるように形成されたことによって、台紙付き緩衝材は、送付物を安全に送付した後は従来どおりの捨てられる対象ではなく、遊びの対象として第二の役割を果たすことができる。
とりわけ、子供を対象とした送付物などの緩衝材として利用された場合、極めて効果的である。
３）また、第三の態様のように、第一の態様において、緩衝材の表出面には複数集団の目視情報が形成され、凹凸が形成された緩衝材の表出面を傾けることによって異なる集団の目視情報が目視されるように形成されたことで、台紙付き緩衝材は、送付物を安全に送付した後は従来どおりの捨てられる対象ではなく、遊びの対象として第二の役割を果たすことができる。
とりわけ、子供を対象とした送付物などの緩衝材として利用された場合、極めて効果的である。
４）また、第四の態様のように、第一，第二，第三の態様において、台紙及び緩衝材の基材には、パルプを主原料とする材料、または、自然環境内で分解性を有する合成樹脂フィルムの何れかが使用されていることによって、環境にやさしい台紙付き緩衝材とすることができる。
【発明を実施するための最良の形態】
【００１１】
以下、図面を参照して本発明の台紙付き緩衝材について詳細に説明する。
図１は、本発明の台紙付き緩衝材の一例について説明するための図，図２は、緩衝材の表出面に形成される目視情報の一例について説明するための図，図３は、緩衝材の表出面に形成される目視情報の他の一例について説明するための図，である。
以下の説明では、本発明の台紙付き緩衝材は、台紙の短辺に平行になるように規則的な波板状の凹凸が形成された緩衝材が台紙に貼付された台紙付き緩衝材の例で説明する。
【００１２】
図１に示す台紙付き緩衝材１は、送付物を衝撃から護るための台紙付き緩衝材であって、台紙１１の片面に波板状の凹凸が形成された緩衝材１２が貼付されている。
図示しないが、台紙付き緩衝材の少なくとも緩衝材１２の表出面には文字，絵柄，マークの少なくとも一つを含む目視情報が形成されている。
また、緩衝材の表出面には、緩衝材の表出面を正面から目視したときに正常状態で目視される目視情報や、緩衝材の表出面を傾けることによって異なる集団の目視情報が目視される目視情報が形成されている。
また、台紙及び緩衝材の基材には、パルプを主原料とする材料、または、自然環境内で分解性を有する合成樹脂フィルムが使用されている。
【００１３】
緩衝材１２と台紙１１は、固定部２１，２２、その他、波板状の緩衝材の台紙が接している部分（図示せず）で接着剤などで固定されている。
図示しないが、送付物は、２枚の台紙付き緩衝材に挟まれて封筒等に封入され送付される。
その際に、台紙付き緩衝材が送付物に接する面は、台紙側でも緩衝材側でも送付物に応じて選択される。
【００１４】
図２を参照して、緩衝材の表出面に形成される目視情報の一例について説明する。
緩衝材１２ａの表出面には、先ず、ａ図に示すような目視情報が印刷される。印刷された緩衝材は台紙付き緩衝材作製装置で波板状に加工され台紙に貼付される。台紙付き緩衝材の緩衝材に印刷された目視情報は、緩衝材の正面から目視した状態がｂ図の状態になる。
前述の波板状に加工された緩衝材を正面から目視した場合、印刷された目視情報は短辺の長さはそのままで変わらないが、長辺がａ図の「Ｌａ」から、ｂ図の「Ｌｂ」に縮小された情報となる。
すなわちａ図の波板の一辺「Ｐａ」の情報は、ｂ図の「Ｐｂ」に縮小された情報となって目視される。
ｂ図の状態が正常な目視情報とならなければならないために、印刷される目視情報は、撮影原稿に対し、短辺方向はそのまま、長辺方向は原則「Ｌａ／Ｌｂ」で撮影、または、焼付けされ、製版され、印刷される。
【００１５】
図３を参照して、緩衝材の表出面に形成される目視情報の他の一例について説明する。
緩衝材１２の表出面には、二種類のパターンの目視情報１２１０，１２２０が間隔を置いて交互に印刷される。
緩衝材は、表出面に二種類の目視情報が印刷された後、波板状に加工され、固定部２１，２２で台紙１１に固定される。
波板状の緩衝材が台紙に固定された状態で、緩衝材の表出面が台紙の短辺方向「Ａ」から目視された場合、図に示すように緩衝材表出面の目視情報１２１０は、例えば、「大理石」のパターンとして目視される。
同様、緩衝材の表出面が台紙の短辺方向「Ｂ」から目視された場合、図に示すように緩衝材表出面の目視情報１２２０は、例えば、「麻」の布目パターンとして目視される。
すなわち、緩衝材の表出面は二つの異なったパターンを出現できたことになる。
【００１６】
図３で説明した例は、緩衝材の表出面を正面から目視した場合、二種類の目視情報が視認される例である。それぞれの目視情報は、原稿の短辺方向，長辺方向が原則一対一で撮影、焼付けされ、波板のピッチの１／２間隔に分割され、二種類の目視情報が付け合せされて印刷される。
図３で説明した例では、図２で説明した例と異なって、波板状に加工される工程で異なる目視情報の境界で、山と谷に正確に折り曲げられなければならない。
【００１７】
（材料）
本発明の台紙付き緩衝材に使用される材料の一例について説明する。
先ず、台紙付き緩衝材１の台紙１１、および、緩衝材１２の基材には、パルプを主原料とする材料（以下、紙の例で説明する）が使用される。
パルプには，クラフトパルプ，サルファイトパルプ等の化学パルプ，グラウンドパルプ，リファイナーグラウンドウッドパルプ等の機械パルプ，ケミグラウンドウッドパルプ，セミケミカルパルプ等の半化学パルプ，古紙パルプ，合成パルプ等があり、これらを単独または数種類混合して使用される。
これらパルプを主原料とした塗工紙として、通常市販されている、例えば、アート紙，コート紙，軽量コート紙，微塗工紙等があり、非塗工紙として、例えば、上質紙，中質紙，下級紙や未晒クラフト紙，晒クラ フト紙等がある。
本発明の台紙付き緩衝材の台紙、および、緩衝材用として、これらの紙から適宜選択され、使用される。
【００１８】
また、自然環境内で分解性を有する合成樹脂は、加水分解、光分解、微生物分解等により、自然環境下で分解する樹脂のことである。
このような樹脂の例を挙げると、脂肪族二塩基酸と二価アルコールの縮合重合により合成される各種の脂肪族ポリエステルなどがある。例えば、コハク酸、アジピン酸とエチレングリコール、１，４ブタンジオールの縮合重合により得られるポリエチレンサクシネート、ポリエチレンアジペート、ポリテトラメチレンアジペート等の脂肪族ポリエステルなどである。また、３官能又は４官能の多価アルコール、オキシカルボン酸及び多価カルボン酸、若しくはその無水物から合成した脂肪族ポリエステルなども使用することができる。さらに、ポリ乳酸、ポリグリコール酸等の脂肪族ポリエステルなどを使用することもできる。
【００１９】
固定部２１，２２、その他、固定のために使用される接着剤としては、澱粉系，天然ゴム系，酢酸ビニル系，ＥＶＡ系，ポリウレタン系，ポリビニルアルコール系，アクリル系その他から選択され、製造装置に合せて使用される。
【００２０】
緩衝材の印刷には、通常使用される市販の紫外線硬化型のオフセットインキが使用される。環境にやさしい大豆などを原料とするインキを使用することもできる。
【００２１】
以上、本発明の台紙付き緩衝材に使用される材料の一例について説明したが、前述の記載材料に拘るものではなく、適宜選択し、また、選択したものを組み合わせて使用することができる。
【産業上の利用可能性】
【００２２】
通信販売などの業種における送付物用緩衝材に利用できる。
【図面の簡単な説明】
【００２３】
【図１】本発明の台紙付き緩衝材の一例について説明するための図である。
【図２】緩衝材の表出面に形成される目視情報の一例について説明するための図である。
【図３】緩衝材の表出面に形成される目視情報の他の一例について説明するための図である。
【符号の説明】
【００２４】
１      台紙付き緩衝材
１１    台紙
１２，１２ａ，１２ｂ  緩衝材
２１，２２  固定部
１２１  Ａ方向から視認される目視情報
１２２  Ｂ方向から視認される目視情報
１２１０，１２２０  目視情報
【図１】
2008094419.tif 000003
【図２】
2008094419.tif 000004
【図３】
2008094419.tif 000005